(57)【要約】【課題】複数の保存室に冷媒を分配するバルブの構造を単純にすることによって、部品の費用を節減するとともに、バルブの制御を容易にする冷蔵庫を提供する。また、本発明は、複数の保存室の温度を正確に制御できる冷蔵庫を提供する。【解決手段】複数の保存室１１，１２，１３と、該保存室１１，１２，１３に冷媒を供給するためのバルブ２０と、を含み、該バルブ２０は、ステップモータ２１と、少なくとも一つの流入口５４及び複数の流出口５１，５２，５３を備えたバルブプレート５０と、前記バルブプレート５０に回転可能に結合され、その回転によって前記複数の流出口５１，５２，５３を開閉する開閉部材６０と、を含み、該開閉部材６０は、前記複数の流出口５１，５２，５３のうち一つのみを常に開放できるように、当該開閉部材６０の内側に向かって所定距離だけ湾入した少なくとも一つ以上の湾入部６１，６２を含むように冷蔵庫を構成する。【選択図】図１
2007113903.tif 000002
【特許請求の範囲】
【請求項１】
複数の保存室と、該保存室に冷媒を供給するためのバルブと、を含む冷蔵庫において、
前記バルブは、ステップモータと、少なくとも一つの流入口及び複数の流出口を備えたバルブプレートと、該バルブプレートに回転可能に結合され、その回転によって前記複数の流出口を開閉する開閉部材と、を含み、
前記開閉部材は、前記複数の流出口のうち一つのみを常に開放できるように、当該開閉部材の内側に向かって所定距離だけ湾入した少なくとも一つ以上の湾入部を含むことを特徴とする冷蔵庫。
【請求項２】
前記複数の流出口は、当該流出口の開閉動作が一つの開閉部材によって制御されるように、該開閉部材の回転半径内に配置されていることを特徴とする請求項１に記載の冷蔵庫。
【請求項３】
前記ステップモータは、前記複数の保存室に冷媒をそれぞれ供給するための複数の制御ステップを有し、前記湾入部のうちいずれか一つは、各制御ステップで前記複数の流出口のうちいずれか一つを開放するようになっていることを特徴とする請求項１に記載の冷蔵庫。
【請求項４】
前記少なくとも一つ以上の湾入部は、前記複数の流出口のうち少なくとも二つを交互に開放することによって、前記複数の保存室のうち少なくとも二つに冷媒を供給するようになっていることを特徴とする請求項３に記載の冷蔵庫。
【請求項５】
少なくとも二つの前記流出口を交互に開放するとき、少なくとも二つの前記流出口うち一部の開放時間は、残りの流出口の開放時間と相異なることを特徴とする請求項４に記載の冷蔵庫。
【請求項６】
第１乃至第３保存室と、該第１乃至第３保存室に冷媒を供給するためのバルブと、を含み、
前記バルブは、ステップモータと、少なくとも一つの流入口及び第１乃至第３流出口を備えたバルブプレートと、回転軸を通して前記バルブプレートに回転可能に結合され、その回転によって前記第１乃至第３流出口を開閉する開閉部材と、を含み、
前記開閉部材は、前記回転軸側に所定距離だけ湾入した二つの湾入部と、これら二つの湾入部の間に形成される二つの遮断部と、を含み、前記第１乃至第３流出口のうち一つのみを常に開放するようになっていることを特徴とする冷蔵庫。
【請求項７】
前記第１乃至第３流出口は、当該流出口の開閉動作が一つの開閉部材によって制御されるように、前記遮断部の回転半径内に配置されていることを特徴とする請求項６に記載の冷蔵庫。
【請求項８】
前記ステップモータは、前記第１乃至第３保存室にそれぞれ冷媒を供給するための第１乃至第４制御ステップを有し、前記二つの湾入部のうちいずれか一つは、前記各制御ステップで前記第１乃至第３流出口のうちいずれか一つを開放するようになっていることを特徴とする請求項６に記載の冷蔵庫。
【請求項９】
前記二つの湾入部のうちいずれか一つが前記三つの流出口のうちいずれか一つを開放するとき、前記二つの遮断部は、他の二つの流出口をそれぞれ閉鎖するようになっていることを特徴とする請求項８に記載の冷蔵庫。
【請求項１０】
前記二つの湾入部は、前記各制御ステップで前記流出口を交互に開放するようになっていることを特徴とする請求項８に記載の冷蔵庫。
【請求項１１】
前記二つの湾入部のうちいずれか一つは、前記第１制御ステップ及び第３制御ステップで前記第１流出口及び第３流出口をそれぞれ開放し、他の湾入部は、前記第２制御ステップ及び第４制御ステップで前記第２流出口及び第１流出口をそれぞれ開放するようになっていることを特徴とする請求項１０に記載の冷蔵庫。
【請求項１２】
前記ステップモータは、前記第１制御ステップと第２制御ステップとの間、前記第２制御ステップと第３制御ステップとの間、または、前記第３制御ステップと第４制御ステップとの間で前記開放部材のスイング運転を行い、前記二つの湾入部が前記三つの流出口のうち二つを交互に開放することによって、前記三つの保存室のうち二つに冷媒を供給するようになっていることを特徴とする請求項１１に記載の冷蔵庫。
【請求項１３】
前記ステップモータは、前記第１制御ステップと前記第３制御ステップとの間で前記開放部材のスイング運転を行い、前記二つの湾入部が前記三つの流出口を交互に開放することによって、前記三つの保存室に冷媒を供給するようになっていることを特徴とする請求項１１に記載の冷蔵庫。
【請求項１４】
前記開閉部材の前記第２制御ステップで留まる時間は、他の制御ステップで留まる時間の半分であることを特徴とする請求項１３に記載の冷蔵庫。
【請求項１５】
冷蔵庫の複数の保存室に冷媒を供給するためのバルブにおいて、
モータと、一つの流入口及び保存室の数に対応する複数の流出口を備えたバルブプレートと、前記バルブプレートに回転可能に結合され、その回転によって前記複数の流出口を開閉する開閉部材と、を含み、
前記開閉部材は、前記複数の流出口のうち一つのみを常に開放できるように、前記開閉部材の内側に向かって所定距離だけ湾入した少なくとも一つ以上の湾入部を含むことを特徴とするバルブ。
【請求項１６】
前記複数の流出口は、当該流出口の開閉動作が一つの開閉部材によって制御されるように、該開閉部材の回転半径内に配置されていることを特徴とする請求項１５に記載のバルブ。
【請求項１７】
前記モータは、複数の制御ステップを有するステップモータであり、
前記湾入部のうちいずれか一つは、各制御ステップで前記複数の流出口のうちいずれか一つを開放するようになっていることを特徴とする請求項１５に記載のバルブ。
【請求項１８】
前記一つ以上の湾入部は、前記複数の流出口のうち少なくとも二つを交互に開放することによって、前記複数の保存室のうち少なくとも二つに冷媒を供給するようになっていることを特徴とする請求項１７に記載のバルブ。
【請求項１９】
少なくとも二つの前記流出口を交互に開放するとき、少なくとも二つの前記流出口うち一部の開放時間は、残りの流出口の開放時間と相異なることを特徴とする請求項１８に記載のバルブ。
【発明の詳細な説明】
【技術分野】
【０００１】
本発明は、冷蔵庫に関するものであって、詳しくは、複数の保存室に供給される冷媒を制御するためのステップモータバルブを備えた冷蔵庫に関するものである。
【背景技術】
【０００２】
冷蔵庫は、冷凍サイクルによって生成された冷気を保存室に供給し、各種食品の新鮮度を長い間維持するための装置である。一般に、冷蔵庫は、圧縮機、凝縮器、膨脹バルブ及び蒸発器を備えており、冷媒の相変化による熱の移動を用いて保存室を冷却する。
【０００３】
一部の冷蔵庫は、複数の保存室を備えており、これら保存室に相異なる保存温度を有する食品を保存できるように冷媒サイクルを制御する。このような冷媒サイクルの制御のために、冷媒サイクルを形成する冷媒配管には、冷媒の流れを制御する冷媒制御バルブが設置される。
【０００４】
複数個の保存室を有する従来の冷蔵庫においては、冷媒制御バルブとして主に三方バルブを用いている。例えば、二つの保存室を有する冷蔵庫では、一つの流入口及び二つの流出口を有する一つの三方バルブを用いて各保存室に冷媒を分配できる。最近は、三つ以上の保存室を有する冷蔵庫が量産されており、このような冷蔵庫では、二つの三方バルブを用いるか、一つの流入口及び三つの流出口を有する一つの四方バルブを用いて冷媒の流れを制御する。
【０００５】
しかしながら、二つの三方バルブを用いる場合には、その設置のためには広い空間が要求されるので、冷蔵庫の全容積が増大し、ひいては材料費の増加によって製品の価格も上昇する。さらに、二つの三方バルブを用いる場合には、一つのバルブを用いる場合よりも開放／閉鎖の組み合せが多くなり、バルブの制御方法も複雑になる。
【０００６】
一つの四方バルブを用いる場合には、上記の問題点をある程度は解消できるが、従来の四方バルブは、三つの流出口のうち二つの流出口及び残りの一つの流出口が相異なる二つの開閉部材によって開閉されるため、バルブの内部構造が複雑になり、各流出口を制御するアルゴリズムも複雑になるという問題点があった。
【０００７】
さらに、従来の二つの三方バルブや一つの四方バルブを用いた冷蔵庫では、複数の保存室の全てを冷却するためにバルブの全ての流出口を同時に開放する場合に、各保存室の温度を正確に制御できないという問題点があった。すなわち、バルブの全ての流出口を同時に開放する場合には、各流出口を通して冷媒が均一に分配されるのではなく、様々な理由から、例えば、各保存室に延在された冷媒配管の抵抗差によって、各保存室に供給される冷媒量が不均一になる。このような冷媒量の不均一により、バルブの開放時間に基づいて冷媒供給量を判断するシステムにおいて冷媒供給量を正確に測定できなくなり、その結果、各保存室の温度を正確に制御できないという問題点があった。
【発明の開示】
【発明が解決しようとする課題】
【０００８】
本発明は、上記の問題点を解決するために、複数の保存室に冷媒を分配するバルブの構造を単純にすることによって、部品の費用を節減するとともに、バルブの制御を容易にする冷蔵庫を提供することを目的とする。
【０００９】
また、本発明は、複数の保存室の温度を正確に制御できる冷蔵庫を提供することを目的とする。
【課題を解決するための手段】
【００１０】
上記の目的を達成するために、本発明による冷蔵庫は、複数の保存室と、該保存室に冷媒を供給するためのバルブと、を含み、該バルブは、ステップモータと、少なくとも一つの流入口及び複数の流出口を備えたバルブプレートと、該バルブプレートに回転可能に結合され、その回転によって前記複数の流出口を開閉する開閉部材と、を含み、該開閉部材は、前記複数の流出口のうち一つのみを常に開放できるように、当該開閉部材の内側に向かって所定距離だけ湾入した少なくとも一つ以上の湾入部を含むこと徴とする  
【００１１】
のは、当該流出口動作ってされ、転径内に  
【００１２】
前記は、のをそれぞれすの有し湾入部のうちいずれかは、各でののうちいずれかをように構成される  
【００１３】
前記湾入部は、ののうちを交互にすることによって、ののうちをす前記を交互にするとき、前記うち一部の開放時間は、残りの流出口の開放時間と相異なる。
【００１４】
また、本発明による冷蔵庫は、第１乃至第３保存室と、該第１乃至第３保存室に冷媒を供給するためのバルブと、を含み、該バルブは、ステップモータと、少なくとも一つの流入口及び第１乃至第３流出口を備えたバルブプレートと、回転軸を通して前記バルブプレートに回転可能に結合され、その回転によって前記第１乃至第３流出口を開閉する開閉部材と、を含み、該開閉部材は、前記回転軸側に所定距離だけ湾入した二つの湾入部と、これら二つの湾入部の間に形成される二つの遮断部と、を含み、前記第１乃至第３流出口のうち一つのみを常に開放することを特徴とする。
【００１５】
前記第１乃至第３流出口は、当該流出口の開閉動作が一つの開閉部材によって制御されるように、前記遮断部の回転半径内に配置される。
【００１６】
前記ステップモータは、前記第１乃至第３保存室にそれぞれ冷媒を供給するための第１乃至第４制御ステップを有し、前記二つの湾入部のうちいずれか一つは、前記各制御ステップで前記第１乃至第３流出口のうちいずれか一つを開放する。
【００１７】
前記二つの湾入部のうちいずれか一つが前記三つの流出口のうちいずれか一つを開放するとき、前記二つの遮断部は、他の二つの流出口をそれぞれ閉鎖する。
【００１８】
前記二つの湾入部は、前記各制御ステップで前記流出口を交互に開放する。このとき、前記二つの湾入部のうちいずれか一つは、前記第１制御ステップ及び第３制御ステップで前記第１流出口及び第３流出口をそれぞれ開放し、他の湾入部は、前記第２制御ステップ及び第４制御ステップで前記第２流出口及び第１流出口をそれぞれ開放する。
【００１９】
前記ステップモータは、前記第１制御ステップと第２制御ステップとの間、第２制御ステップと第３制御ステップとの間、または、前記第３制御ステップと第４制御ステップとの間で前記開放部材のスイング運転を行い、前記二つの湾入部が前記三つの流出口のうち二つを交互に開放することによって、前記三つの保存室のうち二つに冷媒を供給する。
【００２０】
また、前記ステップモータは、前記第１制御ステップと前記第３制御ステップとの間で前記開放部材のスイング運転を行い、前記二つの湾入部が前記三つの流出口を交互に開放することによって、前記三つの保存室に冷媒を供給する。このとき、前記開閉部材の前記第２制御ステップで留まる時間を、他の制御ステップで留まる時間の半分にすると、全ての保存室に冷媒を均一に供給できるようになる。
【発明の効果】
【００２１】
本発明による冷蔵庫は、複数の保存室に冷媒を分配するバルブの構造を単純にすることによって、材料費を節減するとともに、バルブの制御を容易にするという効果を有する。
【００２２】
また、本発明による冷蔵庫は、バルブの複数の流出口のうちいずれか一つのみを開放して冷媒を供給することによって、各保存室の温度を簡単な方法で正確に制御できるという効果がある。
【発明を実施するための最良の形態】
【００２３】
以下、本発明の好ましい実施の形態を図面に基づいて説明する。図１は、本発明による冷蔵庫を冷凍サイクルに基づいて示した図である。
【００２４】
図１に示すように、本発明による冷蔵庫は、三つの保存室、すなわち、第１保存室１１、第２保存室１２及び第３保存室１３を備えている。第１保存室１１、第２保存室１２及び第３保存室１３の周囲には、各保存室１１，１２，１３を冷却するための蒸発器１が設置される。このとき、蒸発器から生成された冷気を別途のファンを通して保存室に供給するファン式冷蔵庫の蒸発器１は、保存室の後方に設置される。その反面、キムチ冷蔵庫などの直冷式冷蔵庫の蒸発器１は、保存室をなすキャビネットの外壁に接して設置される。
【００２５】
一方、本発明による冷蔵庫において、圧縮機２、凝縮器３、膨脹バルブ４及び蒸発器１は、冷媒管５によって順に連結されて閉回路を形成する。すなわち、圧縮機２では気体状態の冷媒が高温・高圧に圧縮され、この圧縮された冷媒は、凝縮器３を通過しながら、周囲の空気と熱交換して高圧の液体状態の冷媒に凝縮される。次いで、この凝縮された冷媒は、膨脹バルブ４を通過しながら減圧され、この減圧された冷媒は、蒸発器１を通過しながら保存室１１，１２，１３の熱を吸収して各保存室１１，１２，１３を冷却する。次いで、蒸発器１を通過しながら低温・低圧の気体状態になった冷媒は、圧縮機２に再び流入させられる。上記のようにして、冷凍サイクルが完成される。
【００２６】
また、本発明による冷蔵庫は、第１保存室１１乃至第３保存室１３への冷媒供給を制御するためのバルブ２０を備えている。このバルブ２０は、一つの流入口及び三つの流出口を有する四方ステップバルブであり、三つの流出口のうち一つのみを開放するように構成される。
【００２７】
図２は、本発明による冷蔵庫に適用されるバルブの構成を示した断面図であり、図３は、図２のバルブに含まれるバルブプレートを示した平面図であり、図４は、図２のバルブに含まれる開閉部材を示した斜視図である。図２乃至図４に示すように、バルブ２０は、バルブ本体３０と、このバルブ本体３０を取り囲む外部ケース４０と、バルブ本体３０の下端に結合されたバルブプレート５０と、を備えている。
【００２８】
本発明による冷蔵庫にステップモータ２１を適用する際、バルブ本体３０の内部には、ロータ３１がロータ回転軸３１ａに回転可能に嵌合され、外部ケース４０の内部には、円筒状のステータ４１がロータ３１の周囲に結合される。ステップモータ２１のステータ４１は、鉄心４２ａと、この鉄心４２ａに巻かれたリード線４２ｂと、が備わったコイル部４２を有し、このコイル部４２は、制御回路（図示せず）からパルス電流を受けてロータ３１の回転運動を正確に制御する。一方、ロータ３１の下端には、ロータ３１と一緒に回転しながら開閉部材６０に動力を伝達するピニオン３２が形成される。
【００２９】
バルブプレート５０の一側には、バルブ本体３０の内部に冷媒を流入するための一つの流入口５４が形成され、他側には、相異なる流路を通して冷媒をバルブ本体３０の外部に排出するための三つの流出口５１，５２，５３が形成される。三つの流出口５１，５２，５３は、バルブ回転軸５５を中心に同心円をなすように等間隔に配置され、バルブ回転軸５５には、流出口５１，５２，５３を開閉する開閉部材６０が設置される。このように三つの流出口５１，５２，５３をバルブ回転軸５５を中心に同心円上に配置すると、一つの開閉部材によって全ての流出口５１，５２，５３の開閉動作を制御できる。以下、説明の便宜上、最も左側にあり、流入口５４に最も近い流出口を第１流出口５１とし、時計方向に沿って第２流出口５２及び第３流出口５３とする。一方、流入口５４には、バルブ本体３０に冷媒を供給する流入管５４ａが挿入され、三つの流出口５１，５２，５３には、各保存室１１，１２，１３に冷媒を供給するための三つの流出管５１ａがそれぞれ挿入される。
【００３０】
バルブ本体３０の内部には、ロータ３１の下端とバルブプレート５０との間に冷媒流路３３が形成されるが、この冷媒流路３３の一側は流入口５４に連結され、他側は三つの流出口５１，５２，５３に連結される。また、流出口５１，５２，５３に連結される冷媒流路３３の他側にバルブ回転軸５５が位置することによって、開閉部材６０は、このバルブ回転軸５５を通してバルブプレート５０に回転可能に結合される。その結果、開閉部材６０は、バルブ回転軸５５と一緒に回転しながら、流出口５１，５２，５３を開閉できるようになる。
【００３１】
特に、開閉部材６０の下面には、二つの湾入部６１，６２が形成されている。これら二つの湾入部６１，６２は、バルブプレート５０の三つの流出口５１，５２，５３のうちいずれか一つのみを開放できるように、開閉部材６０の内側、すなわち、バルブ回転軸５５側に所定距離だけ湾入している。二つの湾入部６１，６２の間には、これらのうちいずれか一つの湾入部が一つの流出口を開放するとき、残りの二つの流出口をそれぞれ閉鎖するようになっている二つの遮断部６３，６４が形成されている。
【００３２】
このような開閉部材６０の外周面にはギア６５が一体に形成されており、このギア６５がロータ３１によって回転するピニオン３２と噛み合うことによって、ロータ３１の回転によって開閉部材６０が回転し、所定の制御ステップでいずれか一つの流出口を開放する。その結果、冷媒は、この開放された流出口を通って各保存室に供給される。
【００３３】
以下、本発明による冷蔵庫の動作を説明する。図５は、本発明による冷蔵庫に適用されたステップモータの制御ステップを示した図であり、図６は、本発明の冷蔵庫において、各制御ステップでの開閉部材の動作を説明するための図である。
【００３４】
図５及び図６に示すように、初期状態（０ステップ）では、全ての流出口５１，５２，５３が開閉部材６０によって閉鎖される。このような初期状態で、ステップモータ２１のコイル部４２にパルス電流が印加されると、ロータ回転軸３１ａを中心にロータ３１が時計方向に回転する。次いで、このロータ３１の時計方向回転は、ピニオン３２及びギア６５を通して開閉部材６０に伝達され、開閉部材６０が反時計方向に回転する。以下、説明の便宜上、初期状態で第１流出口５１の近くに位置した開閉部材の湾入部を、第１湾入部６１とし、初期状態で第１流出口５１を閉鎖する遮断部を第１遮断部６３とする。そして、残りの湾入部及び遮断部を、それぞれ第２湾入部６２及び第２遮断部６４とする。
【００３５】
本発明のステップモータ２１は、第１制御ステップ(２４ステップ)、第２制御ステップ(６４ステップ)、第３制御ステップ(１０４ステップ)及び第４制御ステップ(１４４ステップ)を含む四つの制御ステップによって開閉部材６０を制御する。第１制御ステップで開閉部材６０が所定角度だけ回転すると、開閉部材６０の第１湾入部６１が第１流出口５１のみを開放する。このとき、第２流出口５２及び第３流出口５３は、第２遮断部６４及び第１遮断部６３によってそれぞれ閉鎖される。よって、流入口５４を通してバルブ本体３０に流入された冷媒は、第１流出口５１を通して第１保存室１１のみに供給される。これと同様に、第２制御ステップで開閉部材６０がさらに回転すると、第２湾入部６２が第２流出口５２のみを開放し、第１流出口５１及び第３流出口５３は、第２遮断部６４及び第１遮断部６３によってそれぞれ閉鎖される。よって、冷媒は、第２保存室１２のみに供給される。また、第３制御ステップでは、第１湾入部６１が第３流出口５３を開放し、第１流出口５１及び第２流出口５２が第２遮断部６４及び第１遮断部６３によってそれぞれ閉鎖される。よって、冷媒は、第３保存室１３のみに供給される。最後に、第４制御ステップでは、第２湾入部６２によって再び第１流出口５１が開放される。ここで、第４制御ステップで第１流出口５１が再び開放される理由は、後述する。
【００３６】
図７は、本発明による冷蔵庫において、第１保存室および第２保存室に冷媒を供給する動作を説明するための図である。図７に示すように、ステップモータ２１が、第１制御ステップと第２制御ステップとの間で開閉部材６０のスイング運転を行い、二つの湾入部６１，６２が第１流出口５１及び第２流出口５２を交互に開放することによって、第１保存室１１及び第２保存室１２の全てに冷媒が供給される。その結果、一つの制御ステップで一つの流出口のみが開放されるにもかかわらず、第１保存室１１及び第２保存室１２の全てを冷却できる。このとき、第３流出口５３は、第１遮断部６３によって継続的な閉鎖状態にあるので、第３保存室１３には冷媒が供給されない。図７は、三つの保存室のうち二つに冷媒を供給する一例を説明する図である。上記と同様に、ステップモータ２１が、第２制御ステップと第３制御ステップとの間で開閉部材６０のスイング運転を行うことによって、第２保存室１２及び第３保存室１３に冷媒が供給される。
【００３７】
一方、第１保存室１１及び第３保存室１３に冷媒を供給するために、ステップモータ２１が第１制御ステップと第３制御ステップとの間で開閉部材６０のスイング運転を行うと、それら第１制御ステップと第３制御ステップとの間の第２制御ステップで、第２流出口５２も開放される。したがって、ステップモータ２１が第４制御ステップと第３制御ステップとの間で開閉部材６０のスイング運転を行うことによって、意図しない第２流出口５２の開放を防止できる。
【００３８】
図８は、本発明による冷蔵庫において、第１保存室乃至第３保存室に冷媒を供給する動作を説明するための図である。図８に示すように、ステップモータ２１が第１制御ステップと第３制御ステップとの間で開閉部材６０のスイング運転を行い、二つの湾入部６１，６２が第１流出口５１乃至第３流出口５３を交互に開放することによって、第１保存室１１乃至第３保存室１３に冷媒が供給される。すなわち、ステップモータ２１が、第１制御ステップ、第２制御ステップ、第３制御ステップ、第２制御ステップ、第１制御ステップの順にスイング運転を行うと、開閉部材６０の二つの湾入部６１，６２が、第１流出口５１、第２流出口５２、第３流出口５３、第２流出口５２、第１流出口５１の順に流出口を交互に開放し、三つの保存室１１，１２，１３の全てを冷却できる。
【００３９】
ただし、上記のようにスイング運転を行う場合、制御ステップの一周期Ｔの間、第１流出口５１及び第３流出口５３が一回の開放周期Ｔを有するように開放されるが、第２流出口５２は、二回の開放周期１／２Ｔを有するように開放される。よって、各保存室に冷媒を均一に供給するには、第２流出口５２の開放時間を第１及び第３流出口の開放時間の半分とするべきである。
【００４０】
本発明の特徴は四方バルブに限定されるものではなく、冷蔵庫に設けられた保存室の数に応じて、四つ以上の流出口を有するバルブにも、同一原理に基づいて適用されうる。
【図面の簡単な説明】
【００４１】
【図１】本発明による冷蔵庫を冷凍サイクルに基づいて示した図である。
【図２】本発明による冷蔵庫に適用されるバルブの構成を示した断面図である。
【図３】図２のバルブに含まれるバルブプレートを示した平面図である。
【図４】図２のバルブに含まれる開閉部材を示した斜視図である。
【図５】本発明による冷蔵庫に適用されたステップモータの制御ステップを示した図である。
【図６】本発明による冷蔵庫において、各制御ステップでの開閉部材の動作を説明するための図である。
【図７】本発明による冷蔵庫において、第１保存室及び第２保存室に冷媒を供給する動作を説明するための図である。
【図８】本発明による冷蔵庫において、第１保存室乃至第３保存室に冷媒を供給する動作を説明するための図である。
【符号の説明】
【００４２】
２０  バルブ
２１  ステップモータ
３０  バルブ本体
３１ａ  ロータ回転軸
３２  ピニオン
３３  冷媒流路
４０  外部ケース
４２  コイル部
５０  バルブプレート
５１ａ  流出管
５４  流入口
５４ａ  流入管
５５  バルブ回転軸
６０  開閉部材
６１，６２  湾入部
６５  ギア
【図１】
2007113903.tif 000003
【図２】
2007113903.tif 000004
【図３】
2007113903.tif 000005
【図４】
2007113903.tif 000006
【図５】
2007113903.tif 000007
【図６】
2007113903.tif 000008
【図７】
2007113903.tif 000009
【図８】
2007113903.tif 000010